(57)【要約】【課題】本発明は、コンテンツ再生装置間の情報送信を効率的に行い、コンテンツの継続的な視聴を可能とすることを目的とする。【解決手段】この目的を達成するために、本発明は、開閉部を有する構造体内部に設けられ、コンテンツを再生可能な第１の再生装置１と、この第１の再生装置１とは別体であり、コンテンツを再生可能な第２の再生装置２と、この第２の再生装置２のコンテンツ再生情報を記憶する機能を有するとともに、開閉部の開施錠の機能を有する携帯機３とを備え、開閉部の開錠操作が行われると、携帯機３は、開閉部を開錠するとともに記憶したコンテンツ再生情報を第１の再生装置１へと出力する構成とした。このように、開錠のタイミングに応じてコンテンツ再生情報を出力することで効率的な情報送信が実現でき、さらにユーザーは第２の再生装置２にて視聴していたコンテンツを第１の再生装置１にて継続して視聴することができる。【選択図】図１
2009267483.tif 000002
【特許請求の範囲】
【請求項１】
開閉部を有する構造体内部に設けられ、コンテンツを再生可能な第１の再生装置と、
この第１の再生装置とは別体であり、コンテンツを再生可能な第２の再生装置と、
この第２の再生装置のコンテンツ再生情報を記憶する機能を有するとともに、前記開閉部の開錠及び施錠の機能を有する携帯機とを備え、
前記開閉部の開錠のための操作が行われると、前記携帯機は、前記開閉部を開錠するとともに記憶したコンテンツ再生情報を前記第１の再生装置へと出力するコンテンツ再生システム。
【請求項２】
開閉部を有する構造体内部に設けられ、コンテンツを再生可能な第１の再生装置と、
この第１の再生装置とは別体であり、コンテンツを再生可能な第２の再生装置と、
前記第１の再生装置のコンテンツ再生情報を記憶する機能を有するとともに、前記開閉部の開錠及び施錠の機能を有する携帯機とを備えたコンテンツ再生システムであり、
前記開閉部の施錠のための操作が行われると、前記携帯機は、前記開閉部を施錠するとともに記憶したコンテンツ再生情報を前記第２の再生装置へと出力するコンテンツ再生システム。
【請求項３】
前記第１の再生装置とは、車両内に設けられた再生装置であり、
前記第２の再生装置とは、携帯可能な携帯型再生装置である請求項１及び２に記載のコンテンツ再生システム。
【請求項４】
前記第１の再生装置とは、家屋内に設けられた再生装置であり、
前記第２の再生装置とは、携帯可能な携帯型再生装置である請求項１及び２に記載のコンテンツ再生システム。
【請求項５】
前記第２の再生装置とは、携帯可能な携帯型再生装置であり、
前記第１の再生装置とは、前記携帯機からコンテンツ再生情報が入力されると、自動的にコンテンツを再生する請求項１に記載のコンテンツ再生システム。
【請求項６】
前記第２の再生装置とは、携帯可能な携帯型再生装置であり、
前記開閉部の開錠のための操作が行われた際に、前記第２の再生装置がコンテンツの再生状態である場合、前記第２の再生装置は、前記開閉部の開錠のための操作に伴い、コンテンツの再生を自動的に停止する請求項１に記載のコンテンツ再生システム。
【請求項７】
前記第２の再生装置とは、携帯可能な携帯型再生装置であり、
前記携帯機からコンテンツ再生情報が入力されると、自動的にコンテンツを再生する請求項２に記載のコンテンツ再生システム。
【請求項８】
前記第１の再生装置とは、車両内に設けられた再生装置であり、
前記第２の再生装置とは、家屋内に設けられた再生装置である請求項１に記載のコンテンツ再生システム。
【請求項９】
前記第１の再生装置とは、家屋内に設けられた再生装置であり、
前記第２の再生装置とは、車両内に設けられた再生装置である請求項１に記載のコンテンツ再生システム。
【発明の詳細な説明】
【技術分野】
【０００１】
本発明は、音楽やテレビ放送といったコンテンツの再生システムに関するものである。
【背景技術】
【０００２】
近年、コンテンツ再生装置の高機能化やポータブル化に伴って、多種多様なコンテンツを場所によらず視聴することが可能となってきた。
【０００３】
しかし、ユーザーがあるコンテンツ再生装置を視聴しながら場所の移動を行い、移動先の異なるコンテンツ再生装置にて継続して視聴を行う場合（例えば、歩きながらポータブルプレーヤーにてコンテンツを視聴し、そのまま車両へ乗り込んで同じコンテンツを車両内で視聴する場合など）、移動先にあるコンテンツ再生装置の再生設定を、手動で今まで視聴していた再生設定に合わせる必要があり、コンテンツの多チャンネル化・多様化に伴って、手間がかかるものとなっていた。
【０００４】
この課題に対し、特許文献１では複数のコンテンツ再生装置間にまたがってコンテンツを容易な操作、もしくは自動的に継続視聴できるための技術が開示されている。
【０００５】
この特許文献１に記載の技術では、ポータブルオーディオプレーヤーに備えられたマイコンが車載型オーディオプレーヤーの検出処理を定期的あるいは不定期的に行い、マイコンが車載型オーディオプレーヤーを検出した場合には、ポータブルオーディオプレーヤーで視聴されていた音声データを無線通信装置を経由して車載型オーディオプレーヤーへと送信し、この音声データを車載型オーディオプレーヤーが再生することでコンテンツの継続的な視聴を可能としていた。
【特許文献１】特開２００４−２２１３９号公報
【発明の開示】
【発明が解決しようとする課題】
【０００６】
しかしながら、上記特許文献１に記載の技術では、ポータブルオーディオプレーヤーが備えるマイコンが、定期的或いは不定期的に車載型オーディオプレーヤーの検出処理を行う必要があるため、ポータブルオーディオプレーヤーの電源が非効率に消費されてしまうという問題があった。
【０００７】
さらに、車両ドアの開閉状態については明記されていなく、ポータブルオーディオプレーヤーの無線通信装置が車載型オーディオプレーヤーとの接近距離を精度良く検出すること、または、車載型オーディオプレーヤーがユーザーの存在を検知する手段を新たに備えないと、ユーザーの乗車に合わせて、タイミング良く車載型オーディオプレーヤーがコンテンツの再生を開始できない可能性がある。
【０００８】
本発明は上記課題に鑑み、コンテンツ再生装置間の情報送信を効率的に行い、コンテンツの継続的な視聴が可能なコンテンツ再生システムを提供することを目的とする。
【課題を解決するための手段】
【０００９】
上記従来の課題を解決するために、本発明のコンテンツ再生システムは、開閉部を有する構造体内部に設けられ、コンテンツを再生可能な第１の再生装置と、この第１の再生装置とは別体であり、コンテンツを再生可能な第２の再生装置と、この第２の再生装置のコンテンツ再生情報を記憶する機能を有するとともに、前記開閉部の開錠及び施錠の機能を有する携帯機とを備え、前記開閉部の開錠または施錠のための操作が行われると、前記携帯機は、この操作に伴いコンテンツ再生情報を一方の再生装置から他方の再生装置へと出力する構成とした。
【発明の効果】
【００１０】
この構成により、本発明のコンテンツ再生システムは、コンテンツ再生装置間の情報送信を効率的に行い、コンテンツの継続的な視聴を可能とすることができる。
【００１１】
これは、開閉空間の開錠や施錠の操作に伴って、コンテンツ再生情報を一方の再生装置から他方の再生装置へと出力する構成としたことによる。
【００１２】
すなわち、本発明のコンテンツ再生システムでは、従来のコンテンツ再生システムのようにポータブルオーディオプレーヤーが車載型オーディオプレーヤーを検出した場合にコンテンツ再生情報を送信するのではなく、ユーザーの開錠や施錠の操作に伴ってコンテンツ再生情報を送信する構成としているため、従来のコンテンツ再生システムのようにポータブルオーディオプレーヤーのマイコンが定期的或いは不定期的に再生装置の検出処理を行い、コンテンツ再生装置の有無を無線などで探索し続ける必要はない。
【００１３】
この結果、本発明はコンテンツ再生装置間の情報送信を効率的に行い、コンテンツの継続的な視聴を可能とすることができるのである。
【発明を実施するための最良の形態】
【００１４】
以下、本発明を実施するための最良の形態について、図面を参照しながら説明する。
【００１５】
（実施の形態１）
以下、本発明の実施の形態１の構成について、図１を用いて説明する。なお、図１は本実施形態のシステム全体の構成を示すブロック図である。
【００１６】
図１において示すように、本実施形態のコンテンツ再生システムは、第１の再生装置１と、この第１の再生装置１とは別体である第２の再生装置２と、携帯機３とで構成される。
【００１７】
第１の再生装置１はＤＶＤ等に記録された映像情報やテレビ放送などの映像コンテンツ、あるいはＣＤ・ＭＤ等に記録された音楽情報やラジオ放送などの音楽コンテンツを再生可能なコンテンツ再生装置である。この第１の再生装置１は構造体内部に設けられた状態となっており、本実施形態では一例としてこの構造体を車両４からなるものとしている。
【００１８】
この車両４には、一般的な車両で利用されるリモートキーシステムを実現するためにキーレスＥＣＵ５が搭載されている。
【００１９】
すなわち、キーレスＥＣＵ５は、携帯機３と無線で信号の送受信を行う送受信手段としての第１通信部６を備えており、第１通信部６が携帯機３から送信される開錠信号または施錠信号を受信すると、第１制御部７が開錠信号または施錠信号に含まれる認証コードが正しいか否かの照合を行い、そしてこの照合結果に基づきアクチュエーター８ａに対してドア８ｂの開錠または施錠のための制御を行うのである。
【００２０】
また、第１制御部７は第１の再生装置１の電源のオン及びオフ動作を制御するために電源切り替え部９と接続されている。さらに、キーレスＥＣＵ５は車内ネットワーク１０を通じて第１の再生装置１と接続されており、これら電源切り替え部９及び車内ネットワーク１０を用いることで、第２の再生装置２から車両４内でのコンテンツの継続的な視聴を可能としている。これについては後に詳述する。
【００２１】
第２の再生装置２は、第１の再生装置１と同様に各種コンテンツを再生可能なコンテンツ再生装置であり、その一例として本実施形態ではユーザーが移動中にコンテンツを視聴可能であるポータブルオーディオプレーヤーなどの携帯型再生装置からなるものとしている。この第２の再生装置２は、第２通信部１１と、第２の再生装置２内の各装置（図示せず）を制御する第２制御部１２とが設けられている。
【００２２】
第２通信部１１が携帯機３から情報要求信号を受信すると、第２制御部１２は、その応答として現在第２の再生装置２にて再生中であるコンテンツの情報を第２通信部１１から携帯機３へと送信するように制御する。なお、ここで送信されるコンテンツ再生情報の例としては、テレビ・ラジオ等のチャンネル情報、ＷＥＢのＵＲＬアドレスやストリーミングデータ再生時間、あるいは音楽・映像などの静的な蓄積メディアの種別やその再生トラック・チャプター時間情報などが挙げられる。
【００２３】
携帯機３は、車両４のドア８ｂの開錠・施錠動作のための機能を有するとともに、第２の再生装置２の第２通信部１１から送信されたコンテンツ再生情報を記憶し、さらにこのコンテンツ再生情報を車両内の第１の再生装置１へと出力する機能を有する。
【００２４】
まず、この携帯機３の開錠及び施錠操作について説明する。
【００２５】
携帯機３を保持したユーザーが、携帯機３に設けられた開錠操作部１３を操作すると、この操作を検知した携帯機制御部１４が携帯機通信部１５に開錠トリガ信号を送信するように制御を行う。この開錠トリガ信号をキーレスＥＣＵ５の第１通信部６が受信すると、キーレスＥＣＵ５はその応答として開錠許可のための認証要求信号を送信する。この認証要求信号を携帯機３の携帯機通信部１５が受信すると、携帯機制御部１４はその応答として認証コードを含んだ開錠信号を送信する。この開錠信号を第１通信部６が受けると、第１制御部７は認証コードが第１制御部７内のメモリ（図示せず）に記憶された照合コードと一致するか否かを判断し、これらが一致する場合はドア８ｂを開錠するようにアクチュエーター８ａを制御する。この結果、ドア８ｂの開錠が行われる。
【００２６】
なお、施錠操作については、上述の開錠操作における信号の送受信と同様の動作を携帯機通信部１５と第１通信部６とが行った後に、第１制御部７がドア８ｂを施錠するように制御するものである。
【００２７】
次に、コンテンツ再生情報の送受信について説明する。
【００２８】
携帯機３の携帯機制御部１４は、開錠操作において認証要求信号を受信すると、上述したように認証コードを含んだ開錠信号を第１通信部６へと送信すると同時に、ユーザーが保持、もしくは携帯機３の近辺にある第２の再生装置２と通信を開始するように制御する。この通信は、携帯機のコンテンツ通信部１６と第２の再生装置２の第２通信部１１を用いて行われる。この通信により、携帯機３は、第２の再生装置２が現在再生しているコンテンツの情報を取得し、記憶部１７に記憶する。その後、携帯機制御部１４は、記憶したコンテンツ再生情報を携帯機通信部１５から第１通信部６へ出力するように制御する。そして、第１通信部６が受信したコンテンツ再生情報は車内ネットワーク１０を介して第１の再生装置１へと出力され、結果的に第２の再生装置２のコンテンツ再生情報は第１の再生装置１へと出力されることになる。なお、本実施形態では、コンテンツ再生情報の取得のための通信は汎用的な近距離無線で実現しているが、これは有線であってもよい。
【００２９】
以下、本発明の実施の形態１のキーレスＥＣＵ５の動作について、図２のフローチャートを用いて説明する。なお、図２にて示されるのは、移動中に第２の再生装置２にてコンテンツを視聴しているユーザーが、車両４外から車両４に乗車する際の動作である。
【００３０】
まず、キーレスＥＣＵ５の第１制御部７は、処理が開始されると、開錠トリガ信号を第１通信部６が受信したか否かを判断する（Ｓ１１）。ここで、ユーザーが携帯機３の開錠操作部１３を操作して携帯機３の携帯機通信部１５から開錠トリガ信号を送信し、この開錠トリガ信号を第１通信部６が受信したと第１制御部７が判断すると（Ｓ１１のＹＥＳ）、続けて第１制御部７は開錠許可のための認証要求信号を第１通信部６から送信するように制御する（Ｓ１２）。一方、開錠トリガ信号を受信していないと第１制御部７が判断すると（Ｓ１１のＮＯ）、再びＳ１１に戻り、第１通信部６が開錠トリガ信号を受信したか否かの判断を行う。すなわち、この判断動作は、第１通信部６が開錠トリガ信号を受信したと判断されるまで継続して行われるのであり、この結果、キーレスＥＣＵ５は開錠トリガ信号を待ち受けることになる。
【００３１】
次に、第１制御部７は、Ｓ１２にて送信した認証要求信号の応答として、携帯機３から開錠信号が送信されてきたか否かを判断する（Ｓ１３）。ここで、第１制御部７が開錠信号を第１通信部６が受信したと判断し、さらに開錠信号に含まれる認証コードが正しいものであると判断した場合（Ｓ１３のＹＥＳ）、第１制御部７は、ドア８ｂを開錠するようにアクチュエーター８ａを制御する（Ｓ１４）。
【００３２】
一方、第１制御部７が、開錠信号を第１通信部６が受信していない、あるいは認証コードが正しいものでないと判断した場合（Ｓ１３のＮＯ）、Ｓ１５へと進む。Ｓ１５では、認証要求信号の送信回数が規定回数以上であるか否かが判断され、認証要求信号の送信回数が規定回数に満たない場合はＳ１２に戻り（Ｓ１５のＮＯ）、再度認証要求信号の送信が行われる。この動作を繰り返し、認証要求信号を規定回数以上再送した場合（Ｓ１５のＹＥＳ）、キーレスＥＣＵは再び開錠トリガ信号の待ち受け状態へと戻る。
【００３３】
次に、第１制御部７は、コンテンツ再生情報を第１通信部６が受信したか否かを判断する（Ｓ１６）。コンテンツ再生情報を第１通信部６が受信したと判断した場合（Ｓ１６のＹＥＳ）、第１制御部７は電源切り替え部９を制御し、第１の再生装置１を起動させる（Ｓ１７）。そして、キーレスＥＣＵ５から車内ネットワーク１０を通じて第１の再生装置１にコンテンツ再生情報を送信し（Ｓ１８）、ユーザーが車両４に乗車するのとほぼ同時に第２の再生装置２にて視聴していたコンテンツが、第１の再生装置１において再開される。そして、キーレスＥＣＵ５は処理を終了する（ＥＮＤ）。
【００３４】
一方、Ｓ１６において、第１制御部７が、コンテンツ再生情報を第１通信部６が受信していないと判断した場合（Ｓ１６のＮＯ）、キーレスＥＣＵ５はＳ１６に戻り、再びコンテンツ再生情報の受信を確認する。すなわち、このキーレスＥＣＵ５によるコンテンツ再生情報の受信の確認動作は、受信が確認されるまで繰り返されることになる。ただし、図２のフローチャートには図示していないが、所定の期間内にコンテンツ再生情報の受信の確認ができない場合は、キーレスＥＣＵ５は確認動作を停止し、図２のフローチャートの処理を終了する（ＥＮＤ）。例えば、ユーザーが第２の再生装置２を携帯していない場合などは、必然的にキーレスＥＣＵ５は所定の期間内にコンテンツ再生情報の受信を確認できないため、キーレスＥＣＵ５は図２のフローチャートの処理を終了することになる。
【００３５】
以下、本発明の実施の形態１のコンテンツ再生システムの各装置の動作について図３に示すシグナルタイミングチャートを用いて説明する。なお、図３にて示されるのは、移動中に第２の再生装置２にてコンテンツを視聴しているユーザーが、車両４外の空間から車両４に乗車する際の動作である。
【００３６】
まず、ユーザーが車両４に乗車するために、車両４の近辺にて携帯機３の開錠操作部１３を操作すると（ｔ１）、携帯機３の携帯機通信部１５から開錠トリガ信号の送信が行われ（ｔ１）、同時にキーレスＥＣＵ５の第１通信部６がこの開錠トリガ信号の受信を開始する（ｔ１）。
【００３７】
そして、携帯機３の携帯機通信部１５からの開錠トリガ信号の送信及び第１通信部６の開錠トリガ信号の受信が終了すると（ｔ２）、キーレスＥＣＵ５の第１通信部６が認証要求信号を送信し始める（ｔ２）。これと同時に、携帯機３の携帯機通信部１５が、認証要求信号の受信を開始する（ｔ２）。
【００３８】
そして、第１通信部６からの認証要求信号の送信及び携帯機３の携帯機通信部１５の認証要求信号の受信が終了すると（ｔ３）、携帯機３はコンテンツ再生情報を取得するために、コンテンツ通信部１６にて第２の再生装置２と通信を開始する（ｔ３）。これと同時に、携帯機３は携帯機通信部１５により、キーレスＥＣＵ５に開錠信号を送信し始める（ｔ３）。すなわち、本実施形態では、携帯機３に外部との通信を行う装置（携帯機通信部１５及びコンテンツ通信部１６）を複数設け、第２の再生装置２との通信と開錠信号の送信を同時に行っている。この結果、１つの通信装置のみを備えた携帯機に比べ、通信に要する時間を短縮している。
【００３９】
そして、携帯機３が開錠信号の送信を開始すると同時に、キーレスＥＣＵ５は第１通信部６にて前記開錠信号の受信を開始する（ｔ３）。携帯機３による開錠信号の送信とキーレスＥＣＵ５による開錠信号の受信が終了すると（ｔ４）、キーレスＥＣＵ５は開錠信号に含まれる認証コードの識別を行い、これが正しいと判別された場合、ドア８ｂが開錠されるようにアクチュエーター８ａを制御する。
【００４０】
また、携帯機３は第２の再生装置２からコンテンツ再生情報を取得し終わると（ｔ５）、携帯機通信部１５からキーレスＥＣＵ５にコンテンツ再生情報の送信を開始する。なお、図示はしていないが、携帯機３が第２の再生装置２からコンテンツ再生情報を取得し終わると、第２制御部１２は、第２の再生装置２によるコンテンツの再生を停止するように制御する。
【００４１】
一方、携帯機３がコンテンツ再生情報の送信を開始すると同時に、キーレスＥＣＵ５はコンテンツ再生情報の取得を開始し（ｔ５）、コンテンツ再生情報の取得が完了すると（ｔ６）、第１の再生装置１を起動するように制御を行う。この制御により起動した第１の再生装置１は、キーレスＥＣＵ５から送信されるコンテンツ再生情報の取得を開始する（ｔ６）。なお、再生装置１の起動は瞬時にして行われるものであり、キーレスＥＣＵ５の起動及びコンテンツ再生情報の送信、第１の再生装置１のコンテンツ再生情報の受信は、ほぼ同時に行われるものとしてみなせる（ｔ６）。
【００４２】
そして、キーレスＥＣＵ５のコンテンツ再生情報の送信及び第１の再生装置１のコンテンツ再生情報の受信が終了すると、第１の再生装置１は取得したコンテンツ再生情報に基づいて自動的にコンテンツの再生を行う。
【００４３】
以上述べたように本発明の実施の形態１のコンテンツ再生システムは動作し、コンテンツ再生情報は第２の再生装置２から第１の再生装置１へと出力されている。
【００４４】
以下、ユーザーが車両４から降車する際の、本発明の実施の形態１のキーレスＥＣＵ５と携帯機３の動作について、図４のフローチャートを用いて説明する。
【００４５】
まず、本実施形態のキーレスＥＣＵ５は、イグニッションオフ状態を初期状態として図４のフローを開始する。すなわち、ユーザーが降車に際して、イグニッションをオフの状態にすると、第１の再生装置１は、イグニッションオフ状態となる前に再生していたコンテンツの再生情報をキーレスＥＣＵ５に送信する（Ｓ２１）。この送信が終了すると、第１の再生装置１は動作を停止する。なお、図４に示すフローチャートでは、イグニッションオフ状態を初期状態としたが、この設定に変えてアクセサリオフ状態を初期状態としてもよい。
【００４６】
次に、キーレスＥＣＵ５は、ユーザーの施錠操作部１８への操作により、携帯機３から送信される施錠信号を第１通信部６が受信したと判断すると（Ｓ２２のＹＥＳ）、携帯機３の携帯機通信部１５へコンテンツ再生情報を送信する（Ｓ２３）。一方、第１通信部６が施錠信号を受信したとキーレスＥＣＵ５が判断しない場合は（Ｓ２２のＮＯ）、キーレスＥＣＵ５は再度施錠信号の受信確認を行う。すなわち、キーレスＥＣＵ５は、第１通信部６が施錠信号を受信したと確認するまでこの動作を続け、施錠信号の待ち受け状態となる。
【００４７】
そして、コンテンツ再生情報の送信が終了すると、キーレスＥＣＵ５はドア８ｂの施錠を行うようにアクチュエーター８ａを制御する。その後、処理を終了する（ＥＮＤ）。
【００４８】
一方、Ｓ２３にてキーレスＥＣＵ５から送信されたコンテンツ再生情報を携帯機３の携帯機通信部１５が受けたと携帯機制御部１４が判断すると（Ｓ３１のＹＥＳ）、携帯機３は第２の再生装置２の探索を行う（Ｓ３２）。ここで、コンテンツ再生情報を携帯機通信部１５が受けたと携帯機制御部１４が判断しない場合（Ｓ３１のＮＯ）、携帯機制御部１４は再度コンテンツ再生情報を携帯機通信部１５が受けたか否かを判断する。すなわち、携帯機３はコンテンツ再生情報の待ち受け状態にある。
【００４９】
次に、Ｓ３２において携帯機３が第２の再生装置２の存在を検知した場合（Ｓ３２のＹＥＳ）、携帯機３は第２の再生装置２へコンテンツ再生情報を送信し（Ｓ３３）、処理が終了される（ＥＮＤ）。ここで、携帯機３が第２の再生装置２の存在を検知しなかった場合は（Ｓ３２のＮＯ）、携帯機３は再度第２の再生装置２を探索する。すなわち、携帯機３は第２の再生装置２の探索動作を繰り返す。ただし、所定の期間が経過しても第２の再生装置２の存在を検知できない場合、携帯機３は探索動作を中止し、処理を終了する。これは、例えばユーザーが第２の再生装置２を携帯していない場合などが相当する。なお、このように、携帯機３が第２の再生装置２を検知できず処理を終了したとしても、携帯機３の記憶部１７にはコンテンツ再生情報が記憶された状態となっている。
【００５０】
以上述べたように、ユーザーが車両４から降車する際にはキーレスＥＣＵ５と携帯機３が動作し、コンテンツ再生情報は第１の再生装置１から第２の再生装置２へと出力されている。
【００５１】
以下、本発明の実施の形態１の効果について説明する。
【００５２】
まず、本実施形態によると、ユーザーが外部から車両４に示されるような開閉部（ドア８ｂ）を有する構造体に移動する際に、開錠動作に応じたタイミングで第２の再生装置２で視聴中のコンテンツの再生情報が送信されるため、ユーザーは引き続き車両４内でコンテンツの視聴を行うことができる。特に、本実施形態においてはユーザーの開錠動作をきっかけとして第２の再生装置２と第１の再生装置１間でのコンテンツ再生情報のやりとりが開始される構成となっているため、従来のコンテンツ再生システムのように、ポータブルオーディオプレーヤーのマイコンが車載型オーディオプレーヤーの検出処理を行う必要はない。すなわち、本実施形態では従来のコンテンツ再生システムに比べ、消費電力を低減させることが可能であり、コンテンツ再生装置間の情報送信を効率的に行うことができるものである。
【００５３】
また、本実施形態では、車両４の施錠時においても、上述の開錠時と同様に、従来のコンテンツ再生システムに比べコンテンツ再生装置間の情報送信を効率的に行うことができるとともに、継続したコンテンツの視聴が可能となる。
【００５４】
なお、本実施形態では、車両４内に第１の再生装置１が設置された構成としたが、この車両４に変えて、第１の再生装置１が家屋に設置されたものとしてもよい。すなわち、家屋が備えるドアの開錠動作に応じたタイミングで、家屋内のコンテンツ再生装置を再生させたり、あるいは家屋のドアの施錠動作に応じたタイミングでユーザーが携帯している携帯型再生装置を再生させるものである。この構成においても、ユーザーは継続したコンテンツの視聴が可能となる。
【００５５】
また、本実施形態では、第１の再生装置１及び第２の再生装置２は、コンテンツ再生情報の取得が完了すると自動的にコンテンツの再生を開始するものとしている。これにより、ユーザーが手動でコンテンツ再生動作を行うことなく、自動的なコンテンツの継続視聴が可能となる。
【００５６】
また、携帯可能な携帯型再生装置である第２のコンテンツ再生装置２で視聴していた場合は、車両４のドア８ｂを開錠した際にコンテンツ再生装置２の再生を自動的に停止させれば、ユーザーの操作手間を省くことができる。
【００５７】
（実施の形態２）
以下、本発明の実施の形態２について説明する。
【００５８】
図５に示すように、本実施形態のコンテンツ再生システムは、実施の形態１と同様に車両４に搭載された第１の再生装置１と、第２の再生装置２と、携帯機３とで構成される。ただし、本実施形態と実施の形態１のコンテンツ再生システムが相違するのは、本実施形態においては第２の再生装置２がドア１９を有する家屋２０内に設置されている点である。すなわち、本実施形態においては、第２の再生装置２は、例えばホームオーディオのような屋内用オーディオ機器となっている。
【００５９】
したがって、本実施形態においては、実施の形態１のユーザーの車両４乗車時のように、ユーザーが第２の再生装置２を保持した状態で車両４に接近することはできず、車両４のドア８ｂの開錠動作に応じたタイミングで携帯機３が第２の再生装置２から、コンテンツ再生情報を取得することができない。このため、本実施形態においては、携帯機３が第２の再生装置２からコンテンツ再生情報を取得するタイミングが実施の形態１と異なるものであり、この点について図６を用いて以下に詳述する。なお、図６は第２の再生装置２からコンテンツ再生情報を取得する際の携帯機３の処理を示すフローチャートである。
【００６０】
まず、ユーザーが携帯機３に対して、第２の再生装置２からコンテンツ再生情報を取得するための操作を行うと、携帯機３は図６に示す処理を開始する（ＳＴＡＲＴ）。なお、このようにユーザーの操作により携帯機３がコンテンツ再生情報を取得する構成とするには、例えば携帯機３に操作部を設け、ユーザーがこの操作部を操作すると、携帯機３がコンテンツ再生情報の取得を開始するものとすればよい。あるいは、携帯機３を車両４及び家屋２０のドア１９の開施錠機能を兼ねて有するものとし、家屋２０の施錠操作時に、第２の再生装置２で再生していたコンテンツ再生情報を自動的に携帯機３が取得し始める構成としてもよい。
【００６１】
次に、携帯機３は第２の再生装置２の検知を開始する（Ｓ４１）。ここで、携帯機３が第２の再生装置２を検知すると（Ｓ４１のＹＥＳ）、続けて携帯機３は第２の再生装置２からコンテンツ再生情報の取得を開始し（Ｓ４２）、一方、第２の再生装置２を検知できない場合は（Ｓ４１のＮＯ）、再度第２の再生装置２の検知を行い、検知できるまでこの動作を繰り返す。ただし、所定の時間が経過しても第２の再生装置２を検知できない場合、携帯機３は第２の再生装置２の検知を中止し、処理を終了するものとする。
【００６２】
次に、コンテンツ再生情報の受信が終了したか否かの確認が行われる（Ｓ４３）。ここで、コンテンツ再生情報の受信が終了し記憶部１７がコンテンツ再生情報を記憶したと携帯機制御部１４が判断すると（Ｓ４３のＹＥＳ）、図６で示される携帯機３の処理は終了される（ＥＮＤ）。
【００６３】
一方、コンテンツ再生情報の受信が終了していないと携帯機制御部１４が判断した場合（Ｓ４３のＮＯ）、携帯機制御部１４はコンテンツ再生情報の受信が終了したか否かの確認を再度行い、コンテンツ再生情報の受信が終了したと判断するまで、この動作を繰り返す。
【００６４】
以上説明したように、携帯機３のコンテンツ再生情報の取得のための処理は行われる。
【００６５】
この処理により取得したコンテンツ再生情報は、実施の形態１と同様に、車両４の乗車時においてユーザーがドア８ｂを開錠した際に携帯機３から第１の再生装置１へと出力され再生される構成としている。
【００６６】
この結果、家屋２０内に設置された第２の再生装置２にて視聴していたコンテンツを、ユーザーは引き続き車両４内にて視聴することができる。
【００６７】
なお、ユーザーが車両４から家屋２０へと移動する場合は実施の形態１と同様に、ユーザーが車両４を降車する際に第１の再生装置１にて再生されていたコンテンツの再生情報を携帯機３へと送信する構成とすればよい。
【００６８】
そして、携帯機３の記憶部１７が記憶したコンテンツ再生情報をドア１９の開錠のタイミングに合わせて第２の再生装置へと送信することにより、ユーザーは第１の再生装置１にて視聴していたコンテンツを、引き続き家屋２０内の第２の再生装置２にて視聴することができる。
【００６９】
このように、本実施形態においても実施の形態１と同様に、構造物に設けられた開閉部の開施錠動作に応じたタイミングで、携帯機３からコンテンツの再生情報が送信される構成としている。したがって、従来のコンテンツ再生システムのようにユーザーが保持しているポータブルオーディオプレーヤーもしくは携帯機などのコンテンツ情報を有した機器が、車載型オーディオプレーヤーの検出処理を行う必要はない。この結果、本実施形態では従来のコンテンツ再生システムに比べ、消費電力を低減させることが可能であり、コンテンツ再生装置間の情報送信を効率的に行うことができるものである。
【００７０】
なお、以上説明した実施の形態１及び実施の形態２では、携帯機３が有する認証コードの照合は、携帯機３の開錠操作部１３及び施錠操作部１８の操作により開始される構成としたが、この構成に限定することなく、車両のドアに設けられた開施錠操作部を操作することで認証コードの照合が開始される構成の車両に対しても、本発明は適用できる。
【産業上の利用可能性】
【００７１】
本発明のコンテンツ再生システムによると、コンテンツ再生装置間の情報送信を効率的に行い、コンテンツの継続的な視聴を可能とすることができる。したがって、本発明のコンテンツ再生システムは、車両と携帯型再生装置間のコンテンツの継続視聴や車両と家屋間のコンテンツの継続視聴などに好適に採用し得る。
【図面の簡単な説明】
【００７２】
【図１】本発明の実施の形態１におけるコンテンツ再生システムの構成を示すブロック図
【図２】本発明の実施の形態１におけるキーレスＥＣＵの動作を示すフローチャート
【図３】本発明の実施の形態１における装置全体の動作を示すシグナルタイミングチャート
【図４】本発明の実施の形態１において、ユーザーが降車した際のキーレスＥＣＵ５と携帯機３の動作を示すフローチャート
【図５】本発明の実施の形態２におけるコンテンツ再生システムの構成を示すブロック図
【図６】本発明の実施の形態２において、携帯機３がコンテンツ再生情報を記憶する際の動作を示すフローチャート
【符号の説明】
【００７３】
１  第１の再生装置
２  第２の再生装置
３  携帯機
４  車両
５  キーレスＥＣＵ
６  第１通信部
７  第１制御部
８ａ  アクチュエーター
８ｂ  ドア
９  電源切り替え部
１０  車内ネットワーク
１１  第２通信部
１２  第２制御部
１３  開錠操作部
１４  携帯機制御部
１５  携帯機通信部
１６  コンテンツ通信部
１７  記憶部
１８  施錠操作部
１９  ドア
２０  家屋
【図１】
2009267483.tif 000003
【図２】
2009267483.tif 000004
【図３】
2009267483.tif 000005
【図４】
2009267483.tif 000006
【図５】
2009267483.tif 000007
【図６】
2009267483.tif 000008